(57)【要約】      （修正有）【課題】極めて簡単な構成で、薄型テレビやパソコンの表示装置などの薄型器具の転倒を防止することができる転倒防止装置を提供する。【解決手段】設置台１５上に置かれる薄型器具１の転倒防止装置において、薄型器具１の支持脚１４を設置台上板１５ａともに上下から挟持する一対の挟持片２１，２２と該上下両挟持片２１，２２の一端側を一体に連結する連結片とを有した金具本体２を備え、さらに金具本体２の上挟持片２１に支持脚１４を設置台上板１５ａの上面に対して圧接固定するための固定手段１８を設ける。【選択図】図２
0003169804.tif 000002
【実用新案登録請求の範囲】
【請求項１】
設置台（１５）上に置かれる薄型器具（１）の転倒防止装置であって、前記薄型器具（１）の支持脚（１４）を前記設置台（１５）の上板（１５ａ）とともに上下から挟持する一対の挟持片（２１，２２）と該上下両挟持片（２１，２２）の一端側を一体に連結する連結片（２３）とを有した金具本体（２）を備え、さらに該金具本体（２）の上挟持片（２１）に前記支持脚（１４）を前記設置台上板（１５ａ）の上面に対して圧接固定するための固定手段（１８）を設けていることを特徴とする薄型器具の転倒防止装置。
【考案の詳細な説明】
【技術分野】
【０００１】
本願考案は、薄型テレビやパソコンの表示装置（薄型ディスプレイ）などの薄型器具の
転倒を防止するために使用される薄型器具の転倒防止装置に関するものである。
【背景技術】
【０００２】
この種の薄型器具としては、薄型テレビやパソコンの表示装置（薄型ディスプレイ）等があるが、このような薄型器具は、その表示部を比較的細い支柱で支え、その支柱を比較的平たい脚部（支持脚）に固定したものである。そして、この薄型器具は、支持脚部分を設置台上に載せることで据え付けられる。
【０００３】
ところで、この種の薄型器具は、コンパクトに設計されている関係で、支持脚の面積に比べ表示部が大きくなっており、地震などの振動・衝撃により転倒し易いという短所を有している。
【０００４】
そして、このように地震等による転倒を防止するために、従来から特許文献１（特開２０００−４７５９９号公報）に示される転倒防止装置（薄型表示装置のスタンド）が提案されている。
【０００５】
この特許文献１のものは、表示装置の支持脚に補助ベース板を取付け、該補助ベース板を必要に応じて支持脚から前後外方にスライドさせて、補助ベース板を設置台（机）上にネジで固定して転倒を防止するようにしている。
【０００６】
ところが、上記特許文献１の転倒防止構造では、薄型器具の支持脚より外側に転倒防止用の補助ベース板を出っ張らせ、さらに該補助ベース板を設置台（机等）にネジ止めしていたので、転倒防止（ネジ止め）のために机を傷つけてしまうという問題がある。
【０００７】
他方、従来の薄型器具の転倒防止装置の中には、設置台（机等）に直接ネジ止めしないものとして、例えば特許文献２（特開２００５−２３６２４０号公報）に示されるものがある。
【０００８】
この特許文献２のものは、表示装置の支持脚の外周縁部の複数箇所を、２種類のＬ型金具を用いた止め金具で固定するようにしている。即ち、この特許文献２の転倒防止装置では、机上面に対して衝撃吸収材（滑り止め機能を有している）を介して設置される第１のＬ型金具と、該第１のＬ型金具にネジで固定される支持脚押さえ用の第２のＬ型金具とを１セットにしたものを複数セット使用し、薄型器具の支持脚を複数組の止め金具で位置保持するようにしている。
【０００９】
ところが、この特許文献２のものでは、転倒防止のための構成部材が多くなり（１箇所に２つのＬ型金具が必要）、且つ止め金具が机上面に対して衝撃吸収材を介して設置されているだけなので、固定強度が弱い（位置ずれし易く且つ転倒の危険が残る）ものであった。
【先行技術文献】
【特許文献】
【００１０】
【特許文献１】特開２０００−４７５９９号公報
【特許文献２】特開２００５−２３６２４０号公報
【考案の概要】
【考案が解決しようとする課題】
【００１１】
そこで、本願考案では、上記した事情に鑑みてなされたものであって、薄型器具を極めて簡易な構成で且つ強固に固定し得るようにした薄型器具の転倒防止装置を提供することを目的としている。
【課題を解決するための手段】
【００１２】
本願考案は、上記課題を解決するための手段として次の構成を有している。
【００１３】
本願考案は、設置台上に置かれる薄型器具の転倒防止装置を対象にしているが、転倒防止対象となる薄型器具としては、薄型テレビやパソコンの表示装置（薄型ディスプレイ）などがある。尚、この種の薄型器具は、表示部（画面）の下部に平たい支持脚を設けて、該支持脚により自立させ得るようになっている。
【００１４】
そして、この考案に係る薄型器具の転倒防止装置は、薄型器具の支持脚を設置台の上板とともに上下から挟持する一対の挟持片と該上下両挟持片の一端側を一体に連結する連結片とを有した金具本体を備え、さらに該金具本体の上挟持片に支持脚を設置台上板の上面に対して圧接固定するための固定手段を設けていることを特徴とするものである。
【００１５】
金具本体は、上下の各挟持片と連結片を有した側面視横長コ字状のものを採用できる。尚、上下両挟持片における連結片側とは反対側の端部はそれぞれ切り離し状態のままである。
【００１６】
薄型器具を置くための設置台としては、例えばボックス形状（箱型）のものが採用可能であり、その場合は設置台の上板の背面側下面の下方に下挟持片を差込むための開放部を設けておく。
【００１７】
金具本体における上挟持片に設けた固定手段としては、上挟持片にネジ穴を設ける一方、該ネジ穴にボルトを螺合させるようにしたものを採用できる。
【００１８】
そして、本願考案の転倒防止装置は、薄型器具の支持脚を設置台の上板の上に載せた状態で、金具本体の上下両挟持片で支持脚と設置台上板とを挟み込んだ状態で、上挟持片の上から固定手段（ボルト）で支持脚の上面を押圧することにより、薄型器具の支持脚を設置台上板上に強固に圧接固定できるようになっている。
【考案の効果】
【００１９】
本願考案の薄型器具の転倒防止装置は、上記のように設置台上に設置された薄型器具の支持脚と設置台上板とを金具本体（上下両挟持片）で上下から挟んだ状態で、固定手段（ボルト）により支持脚を設置台上板に対して圧接固定できるように構成されている。
【００２０】
従って、本願考案の転倒防止装置によれば、比較的簡単な構成のもの（金具本体と固定手段）で、薄型器具の支持脚を設置台上板に上に確実且つ強固に固定できるという効果がある。又、薄型器具の支持脚を設置台上板上に固定するのに、該設置台に直接ネジ止めをする必要がないので、該設置台に傷が付かないという効果もある。
【図面の簡単な説明】
【００２１】
【図１】本願実施例の転倒防止装置を用いた薄型器具取付状態の斜視図である。
【図２】図１に示す転倒防止装置取付状態における金具本体部分を通る断面図である。
【図３】本願実施例で使用される転倒防止装置の拡大斜視図である。
【考案を実施するための形態】
【００２２】
［実施例］
以下に、本願考案に係る転倒防止装置の実施例について図を用いて説明すると、図１は本願実施例の転倒防止装置を用いた薄型器具１の固定状態を示す斜視図である。
【００２３】
転倒防止対象となる薄型器具１としては、例えば薄型テレビやパソコンの表示装置（薄型ディスプレイ）が適用されるが、この種の薄型器具１は、上部の表示部１２と、該表示部１２を支える支柱１３と、該支柱１３の下端に設けられている平たい形状の支持脚１４とを有している。支持脚１４部分は、支柱１３の両側にそれぞれかなり面積の膨出部を有しており、該両膨出部を後述する金具本体２の上挟持片２１で押さえ得るようになっている。
【００２４】
薄型器具１を載せる設置台１５としては、内部に例えばＤＶＤプレイヤー等を収納し得るようなボックスが採用可能である。この設置台（ボックス）１５の上板１５ａは、所定板厚さを有した頑丈なものである。又、この設置台（ボックス）１５の背面には裏板１５ｂが取付けられいるが、該裏板１５ｂの上縁部には上板１５ａの下面側に後述する下挟持片２２差込み用の隙間Ｓを確保するための切欠が設けられている。
【００２５】
この実施例の転倒防止装置としては、一対の金具本体２，２が使用されている。この両金具本体２は、図２および図３に示すように、薄型器具１の支持脚１４の上面と設置台１５の上板１５ａとを同時に上下から挟持する一対の挟持片２１，２２と該両挟持片２１，２２の一端側を一体に連結する連結片２３とからなっており、全体として側面視で横長コ字状に構成されている。尚、各挟持片２１，２２の長さは、特に限定するものではないが１２〜１３cm程度が適当であり、又、該両挟持片２１，２２間の間隔は、特に限定するものではないが例えば６cm程度が適当である。
【００２６】
金具本体２の上挟持片２１には、その長さ方向に所定間隔（例えば１５mm程度の間隔）をもって複数個のネジ穴１７，１７・・が形成されている。そして、この各ネジ穴１７，１７・・には、ボルト１８が選択的に螺合される。このネジ穴１７とボルト１８は、支持脚１４に対する固定手段となるものであり、この実施例では、１つの金具本体２につき２本のボルト１８，１８が使用される。尚、この各ボルト１８，１８の頭部と上挟持片２１の上面との間には、座金（ワッシャ）３０及び緩み止めのスプリングワッシャ３１を介在させることができる。
【００２７】
金具本体２の下挟持片２２の上面側には、弾性部材１９が貼設されていて、該下挟持片２２を設置台上板１５ａの下面にあてがったときに、該上板１５ａ下面が傷付かないようにしている。
【００２８】
この実施例の転倒防止装置は、次のように使用される。
【００２９】
薄型器具１は、その支持脚１４を設置台１５上の所定位置に載せた状態で据付けられるが、その場合、該支持脚１４は図１及び図２に示すように設置台上板１５ａ上の奥（背面）寄り位置に載せる。
【００３０】
次に、金具本体２の下挟持片２２を設置台１５の裏板１５ｂの上部にある隙間Ｓから上板１５ａの下面側に差込む。このとき、金具本体２の上挟持片２１は支持脚１４の上面より上方に離間している。尚、この金具本体２は、図１に示すように左右２個使用する。
【００３１】
そして、上挟持片２１における支持脚１４上に対応する２つのネジ穴１７，１７に対して、該上挟持片２１の上部からそれぞれボルト１８，１８を螺入して該各ボルト１８，１８を強く締付けることで、薄型器具１の支持脚１４（左右２箇所）を設置台上板１５ａ上に圧接固定させることができる。尚、各ボルト１８，１８による締付け時に、ボルト下端が当たる支持脚１４上に緩衝材を介在させておくと、支持脚１４上面にボルト当接傷が付かない。
【００３２】
このように、この実施例の転倒防止装置を使用すると、支持脚１４が設置台上板１５ａの上面に強く圧接した状態で固定されるので、薄型器具１の不用意な転倒を確実に防止できる。又、この実施例の転倒防止装置では、横長コ字状の金具本体２と、その上挟持片２１に対してボルト１８を螺合するという簡単な構成で実施できるので、安価に製作できる。さらに、この実施例の転倒防止装置では、止めネジを設置台１５に直接ネジ込むものではないので、該設置台１５を傷付けることがない。
【００３３】
尚、上記したように、上挟持片２１に形成したネジ穴１７を該上挟持片２１の長さ方向に複数箇所（この実施例では７箇所）設けておくと、設置台１５上に置く薄型器具１の支持脚１４の置き位置が多少前後しても、ボルト１８を螺合すべきネジ穴１７を選択することで支持脚１４の適正位置を固定できる。
【符号の説明】
【００３４】
１は薄型器具（薄型テレビ）、２は金具本体、１２は表示部、１３は支柱、１４は支持脚、１５は設置台（ボックス）、１５ａは設置台上板、１７はネジ穴、１８は固定手段（ボルト）、２１は上挟持片、２２は下挟持片、２３は連結片である。
【図１】
0003169804.tif 000003
【図２】
0003169804.tif 000004
【図３】
0003169804.tif 000005